(57)【特許請求の範囲】
【請求項１】
ファンケース(１)内に冷却ファン(２)を収容し、ファンケース(１)に吸風口(３)を設け、冷却ファン(２)にフィルタプレート(４)を取り付け、吸風口(３)をフィルタプレート(４)で覆い、吸風口(３)の開口縁部にファンケース(１)の外側に突出する円筒状の防塵壁(５)を設け、フィルタプレート(４)のフィルタプレート周縁部(４ａ)に防塵壁(５)の外周面に沿って回転する複数の外歯(６)を設けた空冷エンジンにおいて、
防塵壁(５)を、周方向に並べた複数の防塵歯(７)で構成し、隣り合う防塵歯(７)(７)の間には防塵歯間隙間(８)を設け、フィルタプレート周縁部(４ａ)に防塵歯(７)の内周面に沿って回転する複数の内歯(９)を設け、複数の外歯(６)と複数の内歯(９)は、いずれもフィルタプレート周縁部(４ａ)の周方向に並べ、
隣合う外歯(６)(６)の間には外歯間隙間(１０)を設けるとともに、隣合う内歯(９)(９)の間には内歯間隙間(１１)を設け、外歯間隙間(１０)と防塵歯間隙間(８)と内歯間隙間(１１)とを貫通した塵芥(１２)が、防塵歯(７)と回転する外歯(６)と内歯(９)によって切断されるようにした、ことを特徴する空冷エンジン。
【請求項２】
請求項１に記載した空冷エンジンにおいて、
同数の外歯(６)と内歯(９)とが、フィルタプレート(４)の径方向で相互に対向するようにし、同数の外歯間隙間(１０)と内歯間隙間(１１)とが、フィルタプレート(４)の径方向で相互に対向するようにした、ことを特徴する空冷エンジン。
【発明の詳細な説明】
【技術分野】
【０００１】
本発明は、空冷エンジンに関し、詳しくは、ファンケース内に長い刈草等の塵芥が進入する不具合を抑制することができるとともに、刈草等の塵芥の切断片が外歯と防塵壁との間に詰まる不具合を抑制することができる空冷エンジンに関する。
【背景技術】
【０００２】
従来、空冷エンジンとして、ファンケース内に冷却ファンを収容し、ファンケースに吸風口を設け、冷却ファンにフィルタプレートを取り付け、吸風口をフィルタプレートで覆い、吸風口の開口縁部にファンケースの外側に突出する円筒状の防塵壁を設け、フィルタプレートのフィルタプレート周縁部に防塵壁の外周面に沿って回転する複数の外歯を設けたものがある(例えば、特許文献１参照)。
この種の空冷エンジンによれば、フィルタプレートで除塵した空気を吸風口からファンケース内に吸風し、草刈刃で刈り取られた刈草等の塵芥がファンケース内に進入するのを防止することができるとともに、防塵壁に接近する刈草等の塵芥を外歯で切断し、或いは跳ね飛ばして、刈草等の塵芥が防塵壁の外周面に沿ってファンケースに進入するのを防止することができる利点がある。
しかし、この従来技術では、防塵壁が周方向に連続する連続周壁で構成されているため、問題がある。
【先行技術文献】
【特許文献】
【０００３】
【特許文献１】実開昭５３−１３９４３４号公報(第２図、第３図参照)
【発明の概要】
【発明が解決しようとする課題】
【０００４】
《問題１》  ファンケース内に長い刈草等の塵芥が進入しやすい。
防塵壁が周方向に連続する連続周壁で構成されているため、外歯とともに回転しようとする刈草等の塵芥を受け止めることができず、塵芥に外歯の回転による切断力が伝わりにくく、塵芥の切断の失敗が起こりやすく、長い刈草等の塵芥が防塵壁の外周面に沿ってファンケース内に引き込まれ、ファンケース内に長い刈草等の塵芥が進入しやすい。この場合、長い刈草等の塵芥がファンケース内やその下流の冷却風路を詰まらせ、或いは、ファンケース内やその下流の冷却風路に配置された部品(例えば、イグナイタ、点火プラグ等)に絡みついて、部品の放熱を妨げる問題が生じる。
【０００５】
《問題２》  刈草等の塵芥の切断片が外歯と防塵壁との間に詰まりやすい。
防塵壁が周方向に連続する連続周壁で構成されているため、外歯で切断された刈草等の塵芥の切断片をファンケース内にスムーズに逃がすことができず、刈草等の塵芥の切断片が外歯と防塵壁との間に詰まりやすい。この場合、外歯の回転に大きな抵抗がかかり、エンジンの出力損失となる。
【０００６】
本発明の課題は、ファンケース内に長い刈草等の塵芥が進入する不具合を抑制することができるとともに、刈草等の塵芥の切断片が外歯と防塵壁との間に詰まる不具合を抑制することができる空冷エンジンを提供することにある。
【課題を解決するための手段】
【０００７】
請求項１に係る発明の発明特定事項は、次の通りである。
図３または図１(Ａ)に例示するように、ファンケース(１)内に冷却ファン(２)を収容し、ファンケース(１)に吸風口(３)を設け、冷却ファン(２)にフィルタプレート(４)を取り付け、吸風口(３)をフィルタプレート(４)で覆い、吸風口(３)の開口縁部にファンケース(１)の外側に突出する円筒状の防塵壁(５)を設け、フィルタプレート(４)のフィルタプレート周縁部(４ａ)に防塵壁(５)の外周面に沿って回転する複数の外歯(６)を設けた空冷エンジンにおいて、
図１(Ｂ)に例示するように、防塵壁(５)を、周方向に並べた複数の防塵歯(７)で構成し、隣り合う防塵歯(７)(７)の間には防塵歯間隙間(８)を設け、フィルタプレート周縁部(４ａ)に防塵歯(７)の内周面に沿って回転する複数の内歯(９)を設け、複数の外歯(６)と複数の内歯(９)は、いずれもフィルタプレート周縁部(４ａ)の周方向に並べ、
図１(Ｂ)に例示するように、隣合う外歯(６)(６)の間には外歯間隙間(１０)を設けるとともに、隣合う内歯(９)(９)の間には内歯間隙間(１１)を設け、外歯間隙間(１０)と防塵歯間隙間(８)と内歯間隙間(１１)とを貫通した塵芥(１２)が、防塵歯(７)と回転する外歯(６)と内歯(９)によって切断されるようにした、ことを特徴する空冷エンジン。
【発明の効果】
【０００８】
(請求項１に係る発明)
請求項１に係る発明は、次の効果を奏する。
《効果１》ファンケース内に長い刈草等の塵芥が進入する不具合を抑制することができる。
図１(Ｂ)に例示するように、隣合う外歯(６)(６)の間には外歯間隙間(１０)を設けるとともに、隣合う内歯(９)(９)の間には内歯間隙間(１１)を設け、外歯間隙間(１０)と防塵歯間隙間(８)と内歯間隙間(１１)とを貫通した塵芥(１２)が、防塵歯(７)と回転する外歯(６)と内歯(９)によって切断されるようにしたので、回転する外歯(６)や内歯(９)とともに回転しようとする刈草等の塵芥(１２)は、防塵歯(７)で受け止められ、塵芥(１２)に内歯(６)と外歯(９)の回転による切断力が確実に伝わり、塵芥(１２)の切断の失敗が起こりにくく、ファンケース(１)内に長い刈草等の塵芥(１２)が進入する不具合を抑制することができる。
【０００９】
《効果２》刈草等の塵芥の切断片が外歯と防塵壁との間に詰まる不具合を抑制することができる。
図１(Ｂ)に例示するように、刈草等の塵芥(１２)の切断片は、防塵歯間隙間(８)と内歯間隙間(１１)からファンケース(１)内に進入し、これらが外歯(６)と防塵壁(５)(防塵歯(７))の間に詰まる不具合を抑制することができる。
【００１０】
(請求項２に係る発明)
請求項２に係る発明は、請求項１に係る発明の効果に加え、次の効果を奏する。
《効果３》  塵芥の切断の失敗が起こりにくい。
図１(Ｂ)に例示するように、同数の外歯間隙間(１０)と内歯間隙間(１１)とが、フィルタプレート(４)の径方向で相互に対向するようにしたので、外歯間隙間(１０)と内歯間隙間(１１)に貫通入した長い刈草等の塵芥(１２)が、フィルタプレート(４)の径方向を向き、塵芥(１２)に外歯(６)と内歯(９)の回転による切断力が確実に伝わり、塵芥(１２)の切断の失敗が起こりにくい。
【図面の簡単な説明】
【００１１】
【図１】本発明の実施形態に係る空冷エンジンを説明する図で、図１(Ａ)は  フィルタプレート周縁部とその周辺部分の拡大図、図１(Ｂ)は図１(Ａ)のＢ−Ｂ線断面図である。
【図２】本発明の実施形態に係る空冷エンジンで用いるフィルタプレートの正面図である。
【図３】本発明の実施形態に係る空冷エンジンの縦断側面図である。
【発明を実施するための形態】
【００１２】
図１〜図３は本発明の実施形態に係る空冷エンジンを説明する図であり、この実施形態では、Ｖ型２気筒空冷火花点火式エンジンについて説明する。
【００１３】
図３に示すように、このエンジンは、クランクケース(１５)の上部にシリンダ(１６)を設けたシリンダブロック(１４)を備え、シリンダ(１６)の上部にシリンダヘッド(１７)を組み付け、シリンダヘッド(１７)の上部にシリンダヘッドカバー(１８)を組み付けている。シリンダブロック(１４)を正面から見ると、左右一対のシリンダ(１６)がクランクケース(１５)から左右斜め上に向けて突出している。クランクケース(１５)内にクランク軸(１９)を架設し、クランク軸(１９)の先端部をクランクケース(１５)から突出させ、このクランク軸(１９)の先端部にフライホイール(２０)を取り付け、このフライホイール(２０)に冷却ファン(２)を取り付けている。シリンダブロック(１４)の前部にはファンケース(１)を取り付けている。
【００１４】
図３または図１(Ａ)に示すように、ファンケース(１)内に冷却ファン(２)を収容し、ファンケース(１)に吸風口(３)を設け、冷却ファン(２)にフィルタプレート(４)を取り付け、吸風口(３)をフィルタプレート(４)で覆い、吸風口(３)の開口縁部にファンケース(１)の外側に突出する円筒状の防塵壁(５)を設け、フィルタプレート(４)のフィルタプレート周縁部(４ａ)に防塵壁(５)の外周面に沿って回転する複数の外歯(６)を設けている。
ファンケース(１)内にはフライホイール(２０)、イグナイタ(２２)、吸気マニホルド(２３)等も収容している。
左右一対のシリンダ(１６)(１６)の間にはファンケース(１)下流の冷却風路(図外)が形成されている。
図２に示すように、フィルタプレート(４)は多数の吸風孔(２１)を打ち抜いたパンチングメタルの成形品で、図３に示すように、取り付けボルト(１８)で冷却ファン(２)に取り付けている。
【００１５】
図１(Ｂ)に示すように、防塵壁(５)を、周方向に並べた複数の防塵歯(７)で構成し、隣り合う防塵歯(７)(７)の間には防塵歯間隙間(８)を設け、フィルタプレート周縁部(４ａ)に防塵歯(７)の内周面に沿って回転する複数の内歯(９)を設け、複数の外歯(６)と複数の内歯(９)は、いずれもフィルタプレート周縁部(４ａ)の周方向に並べている。
図１(Ｂ)に示すように、隣合う外歯(６)(６)の間には外歯間隙間(１０)を設けるとともに、隣合う内歯(９)(９)の間には内歯間隙間(１１)を設け、外歯間隙間(１０)と防塵歯間隙間(８)と内歯間隙間(１１)とを貫通した塵芥(１２)が、防塵歯(７)と回転する外歯(６)と内歯(９)によって切断されるようにしている。
【００１６】
図１(Ｂ)に示すように、同数の外歯(６)と内歯(９)とが、フィルタプレート(４)の径方向で相互に対向するようにし、同数の外歯間隙間(１０)と内歯間隙間(１１)とが、フィルタプレート(４)の径方向で相互に対向するようにしている。
【符号の説明】
【００１７】
(１) ファンケース
(２) 冷却ファン
(３) 吸風口
(４) フィルタプレート
(４ａ) フィルタプレート周縁部
(５) 防塵壁
(６) 外歯
(７) 防塵歯
(８) 防塵歯間隙間
(９) 内歯
(１０) 外歯間隙間
(１１) 内歯間隙間
(１２) 塵芥
【図１】
0005473965.tif 000002
【図２】
0005473965.tif 000003
【図３】
0005473965.tif 000004